(57)【要約】      （修正有）【課題】給紙トレイユニットを上方に回動させた後、元の位置に戻した際に昇降トレイが昇降レバーの下側に潜り込んだり、昇降トレイが昇降レバーに衝突するなどの不具合を防止することである。【解決手段】昇降トレイ４２を原稿が載置される載置位置と原稿を繰り出す繰出位置に昇降させる昇降レバー４４とを備え、前記昇降トレイ４２が前記搬送ユニットＦに対して回動可能に支持されてなる原稿送り装置において、前記昇降トレイ４２が前記載置位置から上昇した所定の繰出位置で前記昇降トレイ４２の回動動作を規制する規制手段を設けている。この規制手段は、例えば昇降トレイ４２に設けられた係合片４２ｃと、昇降レバー４４に設けられて所定の繰出位置で前記係合片４２ｃと係合する係合穴４４ａとで構成される。【選択図】  図５
2008156023.tif 000002
【特許請求の範囲】
【請求項１】
原稿の少なくとも先端側を昇降自在に載置する昇降トレイと、前記昇降トレイ上の原稿を繰り出す繰出手段を有する搬送ユニットと、前記昇降トレイを原稿が載置される載置位置と原稿を繰り出す繰出位置に昇降させる昇降手段とを備え、前記昇降トレイが前記搬送ユニットに対して回動可能に支持されてなる給紙装置において、
前記昇降トレイが前記載置位置から上昇した所定の繰出位置で前記昇降トレイの回動動作を規制する規制手段を設けたことを特徴とする給紙装置。
【請求項２】
前記規制手段は、前記昇降トレイに設けられた係合部と、前記昇降手段に設けられ、前記昇降トレイを回動させた時に前記係合部と係合して昇降トレイの回動動作を規制する被係合部とからなる請求項１に記載の給紙装置。
【請求項３】
前記昇降手段は前記搬送ユニットに出没可能に設けられた昇降レバーを備え、この昇降レバーに前記被係合部が設けられている請求項２記載の給紙装置。
【請求項４】
前記係合部は、前記昇降トレイの背面に突出形成された係合片からなり、前記被係合部は、前記昇降手段又は昇降レバーに設けられた係合穴からなる請求項２又は３に記載の給紙装置。
【請求項５】
前記昇降レバーは、前記昇降トレイが繰出位置に上昇した際に前記搬送ユニットから突出する一方、前記昇降トレイが載置位置に下降した際には搬送ユニット内に収納される請求項３記載の給紙装置。
【請求項６】
原稿の少なくとも先端側を昇降自在に載置する昇降トレイと、前記昇降トレイ上の原稿を繰り出す繰出手段を有する搬送ユニットと、前記昇降トレイを原稿が載置される載置位置と原稿を繰り出す繰出位置に昇降させる昇降手段とを備え、前記昇降トレイが前記搬送ユニットに対して回動可能に支持されてなる給紙装置において、
前記昇降手段は前記搬送ユニットに出没可能に設けられた昇降レバーを備え、この昇降レバーは前記昇降トレイが繰出位置に上昇した際に前記搬送ユニットから突出する一方、前記昇降トレイが載置位置に下降した際には搬送ユニット内に収納されることを特徴とする給紙装置。
【請求項７】
前記搬送ユニットは、前記昇降トレイの下方にカバー部材を備え、このカバー部材に形成された開口から前記昇降トレイの背面に向けて昇降レバーが突出し、あるいは開口内に昇降レバーが収納される請求項５又６は記載の給紙装置。
【請求項８】
前記昇降トレイは、原稿全体を載置する給紙トレイに回転可能に支持され、前記搬送ユニットに対しては給紙トレイと一緒に回動する請求項１又は６記載の給紙装置。
【発明の詳細な説明】
【技術分野】
【０００１】
本願発明は、給紙トレイ上に積載された原稿を所定の位置に繰り出す給紙装置に係り、特に原稿を繰出手段に圧接させるため昇降自在な昇降トレイを備えた給紙装置に関するものである。
【背景技術】
【０００２】
画像読取装置や複写機等に備えられて原稿を所定の画像読取位置に搬送する給紙装置において、給紙トレイの下方に排紙トレイを配置し、給紙トレイ上の原稿を画像読取位置を介して排紙トレイまで搬送するための搬送パスをＵ字状に形成したものが知られている。この種の給紙装置では、排紙トレイから原稿を取り出したり、排紙部でジャムした原稿を取り除くために、給紙トレイが上方に回動できるように構成されている。
【０００３】
一方、最近は大量の原稿を一度に取り扱える給紙装置が望まれており、その種の給紙装置としては、原稿の後端側を支持する給紙トレイと原稿の先端側を支持する昇降自在な昇降トレイとで構成された給紙トレイユニットを採用したものが知られている（特許文献１参照）。特許文献１に開示された給紙トレイユニットには、昇降トレイを昇降させるために昇降レバーとこの昇降レバーの駆動モータとを含む昇降機構が用いられ、この昇降機構は昇降トレイの背面側に設けられている。そして、画像読取装置側に設けられたスタートボタンを押すことで給紙指令信号を受け、昇降レバーが作動して昇降トレイを上昇させる構成である。なお、昇降トレイは、原稿をセットするための載置位置から昇降トレイ上に載置された原稿の最上位シートが繰出ローラに当接する繰出位置に到達する位置（上限位置）まで上昇するように制御されている。
【０００４】
しかしながら、上述した従来の給紙装置では、昇降機構が給紙トレイユニットに一体に取り付けられているため、給紙トレイユニットを回動させようとすると、昇降機構の重みが給紙トレイユニットに加わるためにトレイに歪みが生じたり回動動作をスムーズに行えなかったり、回動時に給紙トレイユニットに衝撃が発生するなどその取り扱いが容易でなかった。
【０００５】
これらの問題を解決するものとして、昇降レバーや駆動モータなどからなる昇降機構を給紙装置の本体側に設け、昇降レバーの先端を昇降トレイの下方側に延ばしたものが提案されている（特許文献２参照）。
【０００６】
しかしながら、給紙装置の本体側に昇降機構を設けた場合には、給紙トレイユニットと昇降機構が別体であるため上記の問題は解決されるものの、昇降トレイが昇降レバーの背面からの押上げによって上昇している時に給紙トレイユニットを上方に回動させた場合、昇降トレイは昇降レバーに対してフリーの状態となるために、給紙トレイユニットを載置位置に戻した時に昇降トレイが昇降レバーの下側に潜り込んでしまったり、昇降トレイの先端部が昇降レバーに衝突する恐れがあった。さらに、給紙トレイユニットを上方に回動させた時に昇降レバーが露出しているため、ジャムした原稿を排紙部から取り除く際などに昇降レバーが邪魔になるといった問題があった。
【特許文献１】特開２００３−１１８８５１号公報
【特許文献２】特開２００１−１３９１６２号公報
【発明の開示】
【発明が解決しようとする課題】
【０００７】
本発明が解決しようとする問題点は、給紙トレイユニットを上方に回動させた後、元の位置に戻した際に昇降トレイが昇降レバーの下側に潜り込んだり、昇降トレイが昇降レバーに衝突するなどの不具合を防止すると共に、排紙原稿を取り出したり、排紙部でジャムした原稿を取り除く際に昇降レバーが邪魔にならないようにすることである。
【課題を解決するための手段】
【０００８】
本発明に係る給紙装置は、原稿の少なくとも先端側を昇降自在に載置する昇降トレイと、前記昇降トレイ上の原稿を繰り出す繰出手段を有する搬送ユニットと、前記昇降トレイを原稿が載置される載置位置と原稿を繰り出す繰出位置に昇降させる昇降手段とを備え、前記昇降トレイが前記搬送ユニットに対して回動可能に支持されてなる給紙装置において、前記昇降トレイが前記載置位置から上昇した所定の繰出位置で前記昇降トレイの回動動作を規制する規制手段を設けたことを特徴とする。
【０００９】
また、本発明に係る給紙装置において、昇降手段は前記搬送ユニットに出没可能に設けられた昇降レバーを備え、この昇降レバーは前記昇降トレイが繰出位置に上昇した際に前記搬送ユニットから突出する一方、前記昇降トレイが載置位置に下降した際には搬送ユニット内に収納されることを特徴とする。
【発明の効果】
【００１０】
本発明に係る給紙装置によれば、昇降トレイが上昇している状態では規制手段の作用で給紙トレイユニットの上方への回動が規制されるので、従来のように昇降トレイが昇降レバーの下側に潜り込んだり、昇降トレイが昇降レバー衝突するなどの不具合が防止される。
【００１１】
また、本発明に係る給紙装置によれば、昇降トレイが載置位置にある時には昇降レバーが搬送ユニット内に収納されるので、給紙トレイユニットを上方に回動させて排紙トレイから原稿を取り出したり、排紙部でジャムした原稿を取り除く際にも昇降レバーが邪魔になるといったことがない。
【発明を実施するための最良の形態】
【００１２】
以下、添付図面に基づいて本発明に係る給紙装置の実施形態を詳細に説明する。図１は画像読取装置に搭載された本発明の給紙装置を示す断面図である。図１において、Ａは画像読取装置Ｈの上部に搭載された給紙装置としての原稿送り装置であり、この原稿送り装置Ａは、画像読取装置Ｈの上面に設けられた第１のコンタクトガラス１上を原稿が通過するように搬送する。
【００１３】
画像読取装置Ｈは、第１のコンタクトガラス１を介してランプ等の光源から発せられた光を原稿に照射し、その反射光を複数のミラーで反射させ、レンズを介してＣＣＤなどの光電変換手段により光電変換して原稿画像を読み取る第１の読取ユニット３を備え、第１のコンタクトガラス１の上面に画像読取装置Ｈの第１の読取部５を構成している。また、画像読取装置Ｈは、前記第１のコンタクトガラス１の後方に第２のコンタクトガラス２を備えている。この第２のコンタクトガラス２は、原稿を載せ置くことのできる面積を有しており、原稿送り装置Ａを上方に開けて第２のコンタクトガラス２上に本や雑誌等の厚い原稿を載せ置き、前記第１の読取ユニット３を副走査方向に移動させることによって、原稿画像を読み取ることができる。
【００１４】
原稿送り装置Ａは、大量の原稿を一度に載置することのできる給紙トレイユニットＴと、この給紙トレイユニットＴの下方側に配置され、前記画像読取装置Ｈで原稿画像が読み取られた原稿を収納する排紙トレイ１１と、前記第２のコンタクトガラス２を押圧するための押圧カバー１２と、前記給紙トレイユニットＴから排紙トレイ１１に原稿を搬送するためのＵ字状の搬送パス１３とを備えて構成されている。前記押圧カバー１２は、例えばスポンジ等の多孔質部材と白色マイラー等のフィルム部材とによって構成されている。
【００１５】
また、この実施形態における原稿送り装置Ａでは、前記Ｕ字状の搬送パス１３の湾曲部に原稿の裏面画像を読み取る第２の読取ユニット４が設けられている。この第２の読取ユニット４は、前記第１の読取ユニット３と同様、搬送パス１３の一部を形成するコンタクトガラス７を介してランプ等の光源から発せられる光を原稿に照射し、その反射光を複数のミラーで反射させてレンズを介してＣＣＤなどの光電変換手段により光電変換して原稿画像を読み取るように構成されており、コンタクトガラス７の上面が画像読取装置Ｈの第２の読取部６として構成される。このように、上記の原稿送り装置Ａでは、搬送パス１３途中の第２の読取部６を通過する原稿の一方の片面の原稿画像を第２の読取ユニット４で読み取り、第１の読取部５を通過する原稿の他方の片面の原稿画像を第１の読取ユニット３で読み取るので、両面原稿の画像読取時間を大幅に短縮することができる。
【００１６】
前記Ｕ字状の搬送パス１３は、給紙トレイユニットＴから原稿を繰り出すための繰出ローラ２１と、繰出ローラ２１から繰り出された原稿を１枚ずつ分離して給送するための給紙ローラ２２及び分離パッド２３からなる分離手段と、給紙ローラ２２から給紙された原稿の先端がそのニップ点に突き当たることによって原稿の先端を整合してスキューを除去し、その後に駆動して原稿を下流側に送るレジストローラ対２４とを備える。また、搬送パス１３は、前記レジストローラ対２４からの原稿を前記第２の読取部６及び第１の読取部５に向けて送り出す送りローラ対２５と、送りローラ対２５からの原稿を第２の読取部６に供給する第１の読取ローラ対２６と、第２の読取部６にて一方の片面が読み取られた原稿を第１の読取部５に供給する第２の読取ローラ対２７とを備える。さらに、搬送パス１３は、前記第２の読取部６と第１の読取部５とを通過した原稿を搬出する第３の読取ローラ対２８と、第１の読取部５を通過して両面が読み取られた後の原稿を第３の読取ローラ対２８から受けて排紙トレイ１１に向けて搬送する第１排紙ローラ対２９と、原稿を排紙トレイ１１に排紙する第２排紙ローラ対３０とを備えている。この実施形態では、上記の搬送パス１３は複数の部材を組み込んだ搬送ユニットＦとして構成されている。
【００１７】
次に、上記構成からなる原稿送り装置Ａによる原稿搬送動作について説明する。先ず、給紙トレイユニットＴ上に原稿が載置されたことをエンプティセンサＳ１が検知し、さらに画像読取装置Ｈからの給紙指令信号によって、繰出ローラ２１と給紙ローラ２２とが駆動する。これによって、給紙トレイユニットＴの上に載置された複数の原稿が順次繰り出され、分離パッド２３によって１枚ずつ分離されたのち給送される。給送された原稿の先端をレジストセンサＳ２が検知すると、その検知した時点から原稿を所定量搬送することによって、レジストローラ対２４のニップ部に原稿の先端が突き当たって整合され、スキューが取り除かれる。その後、レジストローラ対２４、送りローラ対２５及び各読取ローラ対２６、２７、２８が駆動する。これによって、原稿はＵ字状の搬送パス１３に沿ってその表裏が反転するように搬送され、第２の読取部６、第１の読取部５の順に通過する。この第２の読取部６を通過する時に原稿の一方の片面が読み取られ、第１の読取部５を通過する時に原稿の他方の片面が読み取られる。
【００１８】
原稿の先端が第１排紙ローラ対２９に到達する前に、第１排紙ローラ対２９と第２排紙ローラ対３０とが駆動し、第２の読取部６と第１の読取部５とで両面が読み取られた原稿を排紙トレイ１１上に排紙する。
【００１９】
なお、上述した原稿送り装置Ａには、搬送パス１３のレジストローラ対２４と送りローラ対２５との間の経路に重送検出センサＧＳが設けられている。この重送検出センサＧＳは、超音波を発振する発振部と超音波を受振する受振部とを経路を挟んで対向して配置されており、受振した超音波の振動レベルによって原稿の重送を検出する。また、搬送パス１３の排紙トレイ１１側の排紙部にはインプリンタ８が設けられている。このインプリンタ８は、第１排紙ローラ２９と第２排紙ローラ３０とによって排紙される原稿面に５文字程度の文字を印刷することができる。ここでは、原稿の重送などの搬送エラーや第１、第２の読取ユニット３、４による読取エラーが発生したことを報知する文字をエラーの発生した原稿に印刷するようになっている。
【００２０】
次に、本発明における給紙トレイユニットＴの構成及び作用について詳細に説明する。図２は給紙トレイユニットＴの構成を説明するための斜視図、図３は給紙トレイユニットＴの断面図である。
【００２１】
図２及び図３に示すように、本発明の給紙トレイユニットＴは、原稿の後端側を支持する給紙トレイ４１と、原稿の先端側を支持する昇降トレイ４２とで構成されている。給紙トレイ４１は、平板状の原稿載置部４１ａに、昇降トレイ４２の底面側を覆うカバー部４１ｂと給紙トレイユニットＴを上方に回動するためのアーム部４１ｃとが一体に形成されたものである。昇降トレイ４２は、前記給紙トレイ４１のカバー部４１ｂの上方に配置された平板状の部材からなり、給紙トレイ４１の原稿載置部４１ａと一連につながって原稿の先端側の載置面を形成する。また、昇降トレイ４２の後端両側に設けた支持ピン４２ａが給紙トレイ４１に回転可能に取り付けられている。そのため、昇降トレイ４２は、図３に示されるような給紙トレイ４１の原稿載置部４１ａと連続するフラット面を形成して原稿を載置するための載置位置と、支持ピン４２ａを支点して前方側が上昇して繰出ローラ２１の周面に原稿の上面が接触する繰出位置との間を昇降する。
【００２２】
前記給紙トレイ４１のカバー部４１ｂは、昇降トレイ４２の底面側を覆うことによって、後述する一対のサイド規制部材４３の連動機構並びに昇降トレイ４２を上昇させるための昇降レバー４４が外部に露出しないようにしている。また、アーム部４１ｃは、図２に示すようにその先端側に回動ピン４１ｄを備え、この回動ピン４１ｄがＵ字状の搬送パス１３を構成する搬送ユニットＦの側壁５０に回動可能に取り付けられる。そのため、給紙トレイユニットＴは、給紙トレイ４１と昇降トレイ４２とが一緒になって、回動ピン４１ｄを支点として搬送ユニットＦに対して上下方向に回動可能となる。給紙トレイユニットＴを上方に回動させる場合としては、排紙トレイ１１に排紙された原稿を取り出す場合やジャム原稿を取り除く場合などである。
【００２３】
また、上記昇降トレイ４２には、原稿の幅方向の側端を規制する一対のサイド規制部材４３が設けられている。このサイド規制部材４３は原稿の幅方向の両側端を規制するために、幅方向にスライド移動自在に設けられており、一方のサイド規制部材のスライド移動に連動して他方のサイド規制部材がスライド移動するための連動機構が設けられている。なお、連動機構は図示しないが、ラックとピニオンを有する一般的な機構を採用している。
【００２４】
前記昇降トレイ４２の昇降は搬送ユニットＦ側に設けられた昇降手段によって駆動される。この実施例において昇降手段は、昇降トレイ４２の先端側の背面に当接する昇降レバー４４と、この昇降レバー４４を上下に回動する駆動軸４５と、この駆動軸４５に連結された駆動伝達手段としての複数のギヤ（図示せず）と、複数のギヤを介して駆動軸４５を回転させる昇降モータ（図示せず）と、により構成されている。前記昇降レバー４４は、図２に示したように、中央部に後述する係合穴４４ａが開設された細長い平板部材であり、その先端部が昇降トレイ４２の先端側の直下にまで延設して、昇降トレイ４２の背面４２ｂに当接する。
【００２５】
次に、昇降トレイ４２の昇降動作について説明する。給紙トレイユニットＴに載置された原稿をエンプティセンサＳ１が検出し、画像読取装置Ｈからの給紙指令信号によって昇降モータが正回転駆動を開始する。このモータの正回転駆動によって駆動軸４５が回転し、下限位置にある昇降レバー４４を上方に回動させる。この回動動作によって昇降レバー４４の先端部が昇降トレイ４２の背面４２ｂに当接して昇降トレイ４２を押し上げる。この動作に基づいて、昇降トレイ４２は後端の支持ピン４２ａを回動支点として先端側が上昇する。なお、昇降モータは、昇降トレイ４２に載置された原稿の最上面が繰出ローラ２１に当接する繰出位置に達するまで昇降トレイ４２が上昇した時に駆動を停止する。この状態で繰出ローラ２１が駆動されて原稿が繰り出される。
【００２６】
その後、原稿が所定枚数繰り出される毎に昇降モータが駆動し、昇降レバー４４によって昇降トレイ４２が上昇して原稿の最上面が常時適正な繰出位置となるように制御される。そして、給紙トレイユニットＴ上に原稿が無くなったことをエンプティセンサＳ１で検出すると昇降モータが逆回転駆動を開始する。これによって、駆動軸４５を介して昇降レバー４４は下方に回動して下限位置まで移動する。この昇降レバー４４の下方への回動に追従して昇降トレイ４２は自重によって下方の載置位置まで下降する。なお、符号Ｓ４は原稿の最上面が繰り出し位置に到達したことを検出する繰出位置検出センサであり、符号Ｓ５は昇降レバー４４が下限位置に移動したことを検出する下限位置センサである。
【００２７】
本発明の原稿送り装置Ａには、昇降トレイ４２が載置位置から上昇した状態にある時は給紙トレイユニットＴの上方への回動を拘束する規制手段が設けられている。この規制手段は、図５に示されるように、昇降トレイ４２の先端側の背面４２ｂに下方に向けて突出形成された係合片４２ｃと、昇降レバー４４の中央部に開設された矩形状の係合穴４４ａとで構成され、給紙ユニットＴを回動させた時に係合片４２ｃが係合穴４４ａに係合して給紙トレイユニットＴの上方への回動を拘束する。前記係合片４２ｃはその先端部が係合穴４４ａの端部に係合し易いように鉤形に曲がっている。また、係合片４２ｃと係合穴４４ａとは昇降トレイ４２が載置位置から上昇した状態の時に給紙トレイユニットＴを回動させた場合に互いが係合する位置関係にあることが重要であり、例えば図５（ａ）に示すように、昇降レバー４４の先端部を昇降トレイ４２の背面４２ｂに当接した時に係合片４２ｃが係合穴４４ａ内に侵入しその状態で昇降トレイ４２を上昇させるような位置関係にある場合のみならず、昇降トレイ４２が上昇している間は係合片４２ｃが係合穴４４ａ内に侵入していなくても、図５（ｂ）に示したように、給紙トレイユニットＴを矢印方向に回動させたときに係合するような位置関係にあってもよい。図５（ｂ）に示すように、給紙トレイユニットＴを回動させた時に昇降トレイ４２の背面４２ｂから突出する係合片４２ｃが昇降レバー４４の係合穴４４ａの回動方向の端部に係合されることで、給紙トレイユニットＴのそれ以上の回動が規制されることになる。
【００２８】
一方、図６に示すように、昇降レバー４４が下限位置に移動して、昇降トレイ４２が給紙トレイ４１の原稿載置部４１ａとフラットな面を形成する原稿の載置位置にあるときは、給紙トレイユニットＴを矢印方向に回動させたとしても、昇降トレイ４２の背面４２ｂから突出する係合片４２ｃの回動軌跡ｔから昇降レバー４４の係合穴４４ａが外れているために、給紙トレイユニットＴは回動を規制されることなくほぼ垂直位置まで回動する。なお、昇降レバー４４の先端部が昇降トレイ４２の背面４２ｂに当接している状態でも、係合穴４４ａが係合片４２ｃの回動軌跡ｔから外れている場合には給紙トレイユニットＴの回動が規制されることはない。
【００２９】
上述した規制手段では、簡単な構成でありながら昇降トレイ４２が所定の繰出位置にある時には給紙トレイユニットＴの回動を確実に規制する一方、昇降トレイ４２が載置位置にある時にのみ給紙トレイユニットＴの回動を可能としているので、上方に回動させた給紙トレイユニットＴを戻す際に昇降トレイが昇降レバーの下側に潜り込んだり、昇降レバーに衝突するなどの不具合は生じない。
【００３０】
また、本発明の原稿送り装置Ａは、前記昇降レバー４４が下限位置にあるときに、この昇降レバー４４を収納するカバー部材６０を備えている。このカバー部材６０は、前記昇降トレイ４２の下方に配置された搬送ユニットＦの外装用カバーを利用したものである。このカバー部材６０は昇降トレイ４２の下方に平面部６１を有しており、この平面部６１に昇降レバー４４を収納する矩形状の開口６２が開設されている。昇降レバー４４は開口６２に出没可能に収納されており、昇降レバー４４が下限位置にあるときには開口６２内に収納される一方、作動時には昇降トレイ４２の背面４２ｂに向けて開口６２から突出する構成となっている。したがって、昇降レバー４４は、通常の待機状態ではカバー部材６０内に収納されており、給紙トレイユニットＴを上方に回動させても排紙トレイの近くに昇降トレイ４４が飛び出していることがないので、排紙トレイから原稿を取り出したり、ジャムした原稿を排紙部から取り除いたりする際に、昇降レバー４４が邪魔になるといったことがない。
【００３１】
なお、昇降トレイ４２の背面４２ｂの先端側に突起４２ｄを設け、昇降レバー４４がカバー部材６０内に収納された際に、この突起４２ｄがカバー部材６０の平面部６１に当接することで、昇降トレイ４２の載置位置が保持される。
【図面の簡単な説明】
【００３２】
【図１】本発明に係る原稿給紙装置の全体構成を示す断面図である。
【図２】本発明に係る原稿給紙装置の給紙トレイユニットの斜視図である。
【図３】図２におけるIII−III線断面図である。
【図４】給紙トレイユニットを上方に回動させた時の断面図である。
【図５】規制手段の作用によって給紙トレイユニットの上方への回動が妨げられる状態を示す断面図である。
【図６】規制手段の解除によって給紙トレイユニットの上方への回動が可能となる状態を示す断面図である。
【符号の説明】
【００３３】
Ｈ  原稿読取装置
Ａ  原稿送り装置
Ｆ  搬送ユニット
Ｔ  給紙トレイユニット
４１  給紙トレイ
４２  昇降トレイ
４２ｂ  背面
４２ｃ  係合片（係合部）
４４  昇降レバー
４４ａ  係合穴（被係合部）
４５  駆動軸
６０  カバー部材
６１  平面部
６２  開口
【図１】
2008156023.tif 000003
【図２】
2008156023.tif 000004
【図３】
2008156023.tif 000005
【図４】
2008156023.tif 000006
【図５】
2008156023.tif 000007
【図６】
2008156023.tif 000008